(57)【要約】【課題】ユーザが所定の情報をダウンロードする際に、ユーザの認証を厳重にすると共に、ユーザがダウンロードした所定の情報をユーザ所有の情報処理装置以外の情報処理装置で使用するのを抑制できる技術の提供を課題とする。【解決手段】メール受信手段２０１と、ユーザ登録手段２０２と、地図情報等を記憶する記憶手段２０４と、バージョン番号、及びナビゲーション装置の識別情報を含む第２認証キーファイルを生成する第２認証キーファイル生成手段２０３と、受信した電子メールの差出人欄に含まれる電子メールアドレスと、登録されている電子メールアドレスとが一致するか否かを判定し、一致する場合にユーザであることを認証するユーザ認証手段２０５と、ユーザＰＣ３００が記憶手段２０４にアクセスし、地図情報等をダウンロードするのを許可するダウンロード許可手段２０６と、を備える。【選択図】図２３
2010086216.tif 000002
【特許請求の範囲】
【請求項１】
所定の情報処理装置を所有するユーザの携帯端末装置から送信された電子メールを受信するメール受信手段と、
前記ユーザの前記携帯端末装置の電子メールアドレスを登録するユーザ登録手段と、
前記所定の情報処理装置用の所定の情報を記憶する記憶手段と、
前記ユーザが所有する前記携帯端末装置から前記電子メールを受信した際に、受信した前記電子メールの差出人欄に含まれる前記電子メールアドレスと、前記登録されている前記電子メールアドレスとが一致するか否かを判定し、一致する場合に前記ユーザであることを認証するユーザ認証手段と、
前記ユーザ認証手段が前記ユーザであることを認証した際に、前記ユーザの端末装置が前記記憶手段にアクセスし、前記所定の情報をダウンロードするのを許可するダウンロード許可手段と、
を備える情報処理装置。
【請求項２】
前記電子メールには、前記所定の情報処理装置毎に個別に付与された識別情報を含み、前記ユーザ登録手段は前記電子メールアドレスに関連付けて前記識別情報を登録する請求項１に記載の情報処理装置。
【請求項３】
コンピュータが、
所定の情報処理装置を所有するユーザの携帯端末装置から送信された電子メールを受信するメール受信ステップと、
前記ユーザの前記携帯端末装置の電子メールアドレスを登録するユーザ登録ステップと、
前記所定の情報処理装置用の所定の情報を記憶する記憶ステップと、
前記ユーザの前記携帯端末装置から前記電子メールを受信した際に、受信した前記電子メールの差出人欄に含まれる前記電子メールアドレスと、前記登録されている前記電子メールアドレスとが一致するか否かを判定し、一致する場合に前記ユーザであることを認証するユーザ認証ステップと、
前記ユーザ認証ステップで前記ユーザであることを認証した際に、前記ユーザの端末装置が、前記記憶手段にアクセスして、前記所定の情報をダウンロードするのを許可するダウンロード許可ステップと、
を実行する情報処理方法。
【請求項４】
コンピュータに、
所定の情報処理装置を所有するユーザの携帯端末装置から送信された電子メールを受信するメール受信ステップと、
前記ユーザの前記携帯端末装置の電子メールアドレスを登録するユーザ登録ステップと、
前記所定の情報処理装置用の所定の情報を記憶する記憶ステップと、
前記ユーザの前記携帯端末装置から前記識別情報を含む前記電子メールを受信した際に、受信した前記電子メールの差出人欄に含まれる前記電子メールアドレスと、前記登録されている前記電子メールアドレスとが一致するか否かを判定し、一致する場合に前記ユーザであることを認証する認証ステップと、
前記ユーザ認証ステップで前記ユーザであることを認証した際に、前記ユーザの端末装置が前記記憶手段にアクセスして、前記所定の情報をダウンロードするのを許可するダウンロード許可ステップと、
を実行させる情報処理プログラム。
【請求項５】
（１）所定の情報処理装置を所有するユーザの携帯端末装置であって、前記所定の情報
処理装置に表示される二次元コード#を読み取り、前記二次元コードに含まれる電子メー
ルアドレスに電子メールを送信する前記携帯端末装置から送信された電子メールを受信するメール受信手段と、
前記ユーザの前記携帯端末装置の電子メールアドレスを登録するユーザ登録手段と、
前記所定の情報処理装置用の所定の情報を記憶する記憶手段と、
前記ユーザの前記携帯端末装置から前記電子メールを受信した際に、受信した前記電子メールの差出人欄に含まれる前記電子メールアドレスと、前記登録されている前記電子メールアドレスとが一致するか否かを判定し、一致する場合に前記ユーザであることをを認証するユーザ認証手段と、
前記ユーザ認証手段が前記ユーザであることを認証した際に、前記ユーザの端末装置が前記記憶手段にアクセスし、前記所定の情報をダウンロードするのを許可するダウンロード許可手段と、
を備える情報配信サーバと、
（２）前記情報配信サーバと通信する通信手段と、
前記情報配信サーバから前記所定の情報をダウンロードするダウンロード手段と、を備えるユーザ端末装置と、
を備える情報配信システム。
【請求項６】
情報処理装置毎に付与された識別情報、及び所定の情報が記憶されている記憶媒体を着脱自在に装着する記憶媒体装着手段と、
前記識別情報を記憶する記憶手段と、
前記記憶媒体に記憶されている前記識別情報と、前記記憶手段に臆されている前記識別情報とを比較照合する照合判定手段と、
前記照合判定手段が、前記記憶媒体に記憶されている前記識別情報と、前記記憶手段に記憶されている前記識別情報とが一致すると判定したときに、前記記憶媒体に記憶されている前記所定の情報を表示し、一致しないと判定したときに前記所定の情報を表示しない表示手段と、
を備える情報処理装置。
【発明の詳細な説明】
【技術分野】
【０００１】
本発明は、情報処理装置、方法及びプログラム、情報配信システムに関し、特にナビゲーション装置に好適な技術に関する。
【背景技術】
【０００２】
ナビゲーション装置は、各種の記憶媒体から地図データ、地図上の地点を示す地点データ等を読み出し、経路誘導の目的地とする。このため、ナビゲーション装置は、通常、着脱可能な記憶媒体、例えばＳＤカード(Secure Digital Memory Card)へのアクセス装置を有している。
【０００３】
一方、ナビゲーション装置で使用する記憶媒体、例えばＳＤカードの販売方法は、一般的に、ナビゲーション装置の販売元がナビゲーション装置に同梱して販売する方法、地図情報が更新された場合にナビゲーション装置とは別個に更新版の地図情報を記憶してパッケージ販売する方法、更新版の地図情報を地図配信サーバからインターネットを介してユーザに配信し、これをユーザに端末蔵置、例えばＰＣ（パソコン）でダウンロードしてもらうことにより販売する方法（ダウンロードした地図情報はＳＤカードに書き込む）が知られている。
【０００４】
従来、ナビゲーション装置のユーザが、ＰＣを用いて地図配信サーバから地図情報をダウンロードする場合、ナビゲーション装置の製造メーカ又は販売元が設置した地図配信サーバのウェブサイトにアクセスし、ユーザ認証画面上でパスワード等を入力することによりユーザの認証を受けて、地図情報をダウンロードするのが一般的であった。
【特許文献１】特開２００２−３５０１５５号公報
【発明の開示】
【発明が解決しようとする課題】
【０００５】
しかしながら、従来の技術では、ナビゲーション装置のユーザ以外の者がユーザのパスワードを盗用するなどしてユーザ認証画面に入力した場合、ユーザ以外の者に地図情報のダウンロードを許可してしまうおそれがあった。また、ユーザがダウンロードした地図情報をユーザが所有するナビゲーション装置以外のナビゲーション装置によって使用されるおそれがあった。
【０００６】
本発明は、このような問題に鑑みなされたもので、ユーザが地図情報をダウンロードする際にユーザの認証を厳重にすると共に、ユーザがダウンロードした地図情報をユーザが所有するナビゲーション装置以外のナビゲーション装置で使用するのを抑制できる技術の提供を課題とする。
【課題を解決するための手段】
【０００７】
本発明は、前記課題を解決するため、以下の手段を採用した。
すなわち、本発明は、所定の情報処理を所有するユーザの携帯端末装置から送信された電子メールを受信するメール受信手段と、前記ユーザの前記携帯端末装置の電子メールアドレスを登録するユーザ登録手段と、前記所定の情報処理装置の所定の情報を記憶する記憶手段と、前記ユーザの前記携帯端末装置から前記電子メールを受信した際に、受信した前記電子メールの差出人欄に含まれる前記電子メールアドレスと、前記登録されている前記電子メールアドレスとが一致するか否かを判定し、一致する場合に前記ユーザであることを認証するユーザ認証手段と、前記ユーザ認証手段が前記ユーザを認証した際に、前記ユーザの端末装置が前記記憶手段にアクセスして、前記所定の情報をダウンロードするの
を許可するダウンロード許可手段と、を備える。
【０００８】
本発明によれば、所定の情報処理装置を所有するユーザの携帯端末装置の電子メールアドレスを予め登録し、ユーザの携帯端末装置から電子メールを受けた際に、この電子メールの差出人欄に含まれる電子メールアドレスと登録されている電子メールアドレスとが一致するか否かを判定し、一致したときにユーザであることを認証し、ユーザの端末装置が記憶手段にアクセスして所定の情報をダウンロードするのを許可する。このように、通常、ユーザが常時携帯しユーザ以外の者は殆ど使用することのないユーザの携帯端末装置から受信した電子メールの差出人欄に含まれる電子メールアドレスを用いてユーザの認証を行うことにより、従来のように、単に情報配信サーバのユーザ認証画面にパスワードの入力を受けてユーザを認証する場合に比べて、ユーザの認証を厳重にできる。これにより、ユーザ以外の者が所定の情報をダウンロードするのを抑制できる。なお、ユーザ登録は、端末装置を用いて情報配信サーバのウェブサイト上で、ユーザ携帯端末装置の電子メールアドレスを入力することにより行うようにできる。また、所定の情報をダウンロードする時に行うユーザの認証は、情報配信サーバのウェブサイト上でユーザの携帯端末装置の電子メールアドレスを入力することによって行うこともできる。
【０００９】
ここで、前記電子メールには、前記所定の情報処理装置毎に個別に付与された識別情報を含み、前記ユーザ登録手段は前記電子メールを受信した際に、前記電子メールアドレスに関連付けて前記識別情報を登録する構成にできる。この構成によれば、ユーザの所有する情報処理装置を容易に認識できる。
【００１０】
また、本発明は、（１）所定の情報処理を所有するユーザの携帯端末装置であって、前記所定の情報処理装置に表示され情報配信サーバの電子メールアドレスを含む二次元コードを読み取る二次元コードを読み取り、前記二次元コードに含まれる前記電子メールアドレスに電子メールを送信するユーザ携帯端末装置から送信された電子メールを受信するメール受信手段と、前記ユーザが所有する前記携帯端末装置の電子メールアドレスを登録するユーザ登録手段と、前記所定の情報処理装置用の所定の情報を記憶する記憶手段と、前記ユーザの前記携帯端末装置から前記電子メールを受信した際に、受信した前記電子メールの差出人欄に含まれる前記電子メールアドレスと、前記登録されている前記電子メールアドレスとが一致するか否かを判定し、一致する場合に前記ユーザであることを認証するユーザ認証手段と、前記ユーザ認証手段が前記ユーザであることを認証した際に、前記ユーザの端末装置が前記記憶手段にアクセスして、前記所定の情報をダウンロードするのを許可するダウンロード許可手段と、を備える情報配信サーバと、（２）前記情報配信サーバと通信する通信手段と、前記情報配信サーバから前記所定の情報をダウンロードするダウンロード手段とを備えるユーザ端末装置と、を備える。
【００１１】
本発明によれば、ユーザの携帯端末装置が所定の情報処理装置に表示される二次元コードを読み取ることにより、この二次元コードに含まれる情報配信サーバの電子メールアドレスを取得し、取得した情報配信サーバの電子メールアドレスに電子メールを送信できる。また、情報配信サーバは、ユーザの携帯端末装置から電子メールを受けることにより、ユーザの認証を厳重にできる。また、ユーザの端末装置は、情報配信サーバから所定の情報をダウンロードして記憶媒体に書き込むことができる。
【００１２】
また、本発明は、情報処理装置毎に付与された識別情報、及び所定の情報が記憶されている記憶媒体を着脱自在に装着する記憶媒体装着手段と、前記識別情報を記憶する記憶手段と、前記記憶媒体に記憶されている前記識別情報と、前記記憶手段に記憶されている前記識別情報とを比較照合する照合判定手段と、前記照合判定手段が、前記記憶媒体に記憶されている前記識別情報と前記記憶手段に記憶されている前記識別情報とが一致すると判定したときに、前記記憶媒体に記憶されている前記所定の情報を表示し、一致しないと判
定したときに前記地図情報を表示しない表示手段と、を備える。
【００１３】
本発明によれば、情報処理装置毎に付与された識別情報を記憶手段に記憶すると共に、情報処理装置に着脱自在に装着された記憶媒体に識別情報を記憶しておき、両方の識別情報が一致したときにのみ記憶媒体に記憶されている所定の情報を表示するので、この記憶媒体を他の情報処理装置によって使用されるのを抑制できる。
【００１４】
また、本発明は、コンピュータが以上のような処理を実行する方法であってもよい。また、本発明は、コンピュータに、以上の機能を提供するプログラムであってもよい。また、本発明は、そのようなプログラムを記録したコンピュータが読み取り可能な記録媒体であってもよい。
【００１５】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。
【００１６】
このような記録媒体のうちコンピュータから取り外し可能なものとしては、例えばフレキシブルディスク、光磁気ディスク、CD-ROM、CD-R/W、DVD、DAT、８mmテープ、メモリカード等がある。
【００１７】
また、コンピュータに固定された記録媒体としてハードディスクやＲＯＭ（リードオンリーメモリ）等がある。
【発明の効果】
【００１８】
本発明によれば、所定の情報処理装置のユーザが所定の情報をダウンロードする際に、ユーザの認証を厳重にできるので、ユーザ以外の者が所定の情報をダウンロードするのを抑制できる。また、ユーザがダウンロードした所定の情報を記憶した記憶媒体を、識別情報の異なる他の情報処理装置で使用されるのを抑制できる。
【発明を実施するための最良の形態】
【００１９】
以下、図面を参照して本発明を実施するための最良の形態（以下、実施形態という）に係る情報処理技術について説明する。以下の実施形態の構成は例示であり、本発明は実施形態の構成には限定されない。
【００２０】
＜ナビゲーション装置の構成＞
図１は、本発明の一実施形態に係るナビゲーション装置（情報処理装置）１の外観図である。なお、ナビゲーション装置としては、例えば富士通テン株式会社のＡＶＮ（登録商標。Ａｕｄｉｏ  Ｖｉｓｕａｌ  Ｎａｖｉｇａｔｉｏｎ）等の車載用ナビゲーション装置がある。但し、本発明は、例えば携帯型のナビゲーション機能を有する電子機器等、車載して利用できるものであれば如何なる電子機器にも適用可能である。本実施形態に係るナビゲーション装置１は、２ＤＩＮ（Ｄｅｕｔｓｃｈｅ  Ｉｎｄｕｓｔｒｉｅ  Ｎｏｒｍｅｎ）の本体・モニタ一体型ナビゲーション装置であり、車両の現在地や目的地までの経路の案内等を行うカーナビゲーション機能や、各種オーディオ／ビジュアル（以下、ＡＶという）コンテンツの再生機能、放送波を受信する機能等を有している。ナビゲーション装置１は、運転席や助手席の乗員の手が届きやすいダッシュボードの中央付近に設置された状態で使用されるものであり、メインユニット２とディスプレイユニット３とで構成されている。
【００２１】
図２は、ナビゲーション装置１の構成図である。メインユニット２は、電子部品類で構成されており、ブレーキ検知部４、リバース検知部５、携帯式プレーヤインターフェース
６、放送波受信部７、外部音声／映像入力部８、ＧＰＳ情報受信部９、車速検知部１０、カメラ映像入力部１１、アンプ１２、開閉制御部１３Ａ、角度制御部１３Ｂ、角度センサ１４、モータ１５、ＣＤドライブ１６、カードメモリインターフェース１７、リセットボタン１８、ジャイロセンサ１９、制御部２０が内蔵されている。ディスプレイユニット３は、主に、車両の乗員に対して各種の情報を映像で表示するとともに、ユーザ操作を受け付ける役割を司るデバイス類で構成されており、タッチパネル２１、表示処理部２２、操作受付部２３、操作ボタン２４、赤外線受／発光部２５を内蔵している。
【００２２】
以下、メインユニット２の構成について説明する。ブレーキ検知部４は、車両のパーキングブレーキがかけられているか否かを検知し、これを制御部２０に通知する。ブレーキ検知部４は、パーキングブレーキレバー（あるいはペダル）の動きと連動してオンオフするスイッチの通電状態により、ブレーキの状態を検知する。ブレーキ検知部４は、このスイッチの通電状態を、端子２６Ａを介して電気的に検知する。
【００２３】
リバース検知部５は、車両の変速レバーがリバース（後進）になっているか否かを検知し、これを制御部２０に通知する。リバース検知部５は、変速レバーと連動して動くスイッチのオンオフにより、変速レバーの状態を検知する。リバース検知部５は、このスイッチの通電状態を、端子２６Ｂを介して電気的に検知する。
【００２４】
携帯式プレーヤインターフェース６は、音楽等を再生する携帯式のプレーヤ（例えば、ｉＰｏｄ（登録商標））と双方向通信を行うためのインターフェースである。携帯式プレーヤインターフェース６は、このような携帯式のプレーヤが外部接続されると双方向通信を開始し、プレーヤから送られるオーディオ信号を制御部２０へ送り、制御部２０から送られる再生開始や曲送り等の制御信号をプレーヤへ送る。携帯式プレーヤインターフェース６は、端子２６Ｃに接続されるコードを介してプレーヤと通信を行う。
【００２５】
放送波受信部７は、ワンセグチューナ（「ワンセグ」は商標登録出願中）、ＡＭチューナ（ＡＭ：Ａｍｐｌｉｔｕｄｅ  Ｍｏｄｕｌａｔｉｏｎ）、及びＦＭチューナ（ＦＭ：Ｆｒｅｑｕｅｎｃｙ  Ｍｏｄｕｌａｔｉｏｎ）で構成される回路である。放送波受信部７は、制御部２０からの制御信号に応じてチューナの受信状態を制御し、端子２６Ｄに接続されるアンテナが受信した電波の信号を制御部２０へ送る。
【００２６】
外部音声／映像入力部８は、端子２６Ｅに接続されるビデオ／オーディオ機器からのコンポジット映像信号や音声信号を受け付け、これを制御部２０へ送る回路である。
【００２７】
ＧＰＳ情報受信部９（ＧＰＳ：Ｇｌｏｂａｌ  Ｐｏｓｉｔｉｏｎｉｎｇ  Ｓｙｓｔｅｍ）は、端子２６Ｆに接続されるＧＰＳアンテナが受信したＧＰＳ衛星からの電波の信号を受信し、受信した信号を制御部２０へ送る。周知のように、ＧＰＳは、地球を周回する多数のＧＰＳ衛星のうち少なくとも３つ以上の衛星からの電波に基づいて車両の位置を測位するシステムである。ＧＰＳ情報受信部９は、地球を周回するこれらＧＰＳ衛星の電波の信号を処理する。ＧＰＳ情報受信部９によって受信されたＧＰＳ衛星からの信号は、カーナビゲーションに用いられる。
【００２８】
車速検知部１０は、車軸の回転角に応じて発生する車速パルス信号を検知し、これを制御部２０へ送る回路である。車速検知部１０が検知する車速パルス信号は、車速センサまたは車両のエンジンやブレーキを制御する電子制御ユニットから出力されるステップ状の車速パルス信号であり、単位時間当たりのパルス数から車両速度を割り出す際に用いられる。単位時間当たりのパルス数が増えていれば車両が加速しており、減っていれば車両が減速していることになる。車両の速度と車速パルスとの相関関係は、車両を製造するメーカや車種、装着される車輪の大きさや空気圧等に応じて変化する。このため、制御部２０
では、ＧＰＳによる測位結果に基づいて算出される車両の移動距離とその間を走行する間に検知されたパルス数との相関から、車両の速度と車速パルスとの相関関係が適宜更新される。車速検知部１０は、電子制御ユニットから出力される車速パルス信号を、端子２６Ｇを介して電気的に検知する。
【００２９】
カメラ映像入力部１１は、車両の後方を撮影するビデオカメラであるバックアイカメラからの映像信号を受け付け、制御部２０へ送る回路である。すなわち、カメラ映像入力部１１は、リバース検知部５が車両のリバースを検知した際、端子２６Ｈに接続されているビデオカメラからの映像信号を制御部２０へ送る。
【００３０】
アンプ１２は、制御部２０から車室内に設置されるスピーカへ送られる音声信号を増幅する回路である。アンプ１２は、制御部２０からの制御信号に応じて増幅率を任意に変更可能である。
【００３１】
開閉制御部１３Ａは、ディスプレイユニット３の開閉動作を行う回路である。開閉制御部１３Ａは、制御部２０からの制御信号に応じてモータ１５を制御したり、角度センサ１４からの信号を処理したりすることにより、ディスプレイユニット３を開閉する。図３は、制御部２０からの制御信号を受けた開閉制御部１３Ａがモータ１５を制御することにより実現するディスプレイユニット３の開閉動作を示したものである。開閉制御部１３Ａは、図３に示すように、ディスプレイユニット３の姿勢を三段階に調整することが可能であり、ＣＤドライブ１６（ＣＤ：Ｃｏｍｐａｃｔ  Ｄｉｓｃ）の挿入口を閉じた「クローズ」状態、ＣＤドライブ１６のＣＤ挿入口２７を開いた「セミオープン」状態、及びカードメモリインターフェース１７のカード挿入口２８やリセットボタン１８を開いた「フルオープン」状態を実現する。ディスプレイユニット３の姿勢が「クローズ」状態の場合、ＣＤ挿入口２７やカード挿入口２８、リセットボタン１８はディスプレイユニット３に隠れた状態である。また、ディスプレイユニット３の姿勢が「セミオープン」状態の場合、カード挿入口２８やリセットボタン１８がディスプレイユニット３に隠れ、ＣＤ挿入口２７がナビゲーション装置１の正面からアクセス可能な状態になる。また、ディスプレイユニット３の姿勢が「フルオープン」状態の場合、ＣＤ挿入口２７、カード挿入口２８、及びリセットボタン１８がナビゲーション装置１の正面からアクセス可能な状態になる。
【００３２】
角度制御部１３Ｂは、ディスプレイユニット３の角度調整を行う回路である。角度制御部１３Ｂは、開閉制御部１３Ａと同様、制御部２０からの制御信号に応じてモータ１５を制御したり、角度センサ１４からの信号を処理したりすることにより、ディスプレイユニット３の角度を調整する。なお、ディスプレイユニット３の角度とは、ナビゲーション装置１の左右方向に伸びる軸を中心とする、メインユニット２の正面とディスプレイユニット３の正面（すなわち、タッチパネル２１の表面）との相対的な角度である。図４は、角度制御部１３Ｂが実現するディスプレイユニット３の角度調整状態を示したものである。角度制御部１３Ｂは、図４に示すように、ディスプレイユニット３の仰角を多段階に調整してチルトアップすることが可能である。
【００３３】
角度センサ１４は、ディスプレイユニット３の角度を検知するセンサであり、検知した角度を電気信号で開閉制御部１３Ａへ通知する。モータ１５は、ディスプレイユニット３の角度を調整するモータであり、ディスプレイユニット３の上端を上下に動かしたり、ディスプレイユニット３の下端を前後に動かしたりする。開閉制御部１３Ａおよび角度制御部１３Ｂは、制御部２０からの制御信号を受けると、角度センサ１４で検知されるディスプレイユニット３の角度と制御信号に基づいて決定される角度の目標値との差を割り出し、角度センサ１４で検知されるディスプレイユニット３の角度が制御目標値と一致するようにモータ１５をフィードバック制御する。
【００３４】
ＣＤドライブ１６は、音楽等のオーディオコンテンツが記録されたＣＤを読み取って再生する光ディスク読取装置であり、光ピックアップレンズや発光素子、ディスク駆動モータ等で構成されている。
【００３５】
カードメモリインターフェース１７は、記憶保持動作が不要な不揮発性の半導体メモリカードを読み書きするメモリカードリーダライタである。カードメモリインターフェース１７に挿入されるメモリカードは、４ＧＢ程度の記憶容量を有しており、高速道路や一般道等の道路情報、テーマパーク、ガソリンスタンドといった各種施設に関する地点情報（以降、ＰＯＩ（Ｐｏｉｎｔ  Ｏｆ  Ｉｎｔｅｒｅｓｔ）データとも表記）等を含む地図データ、並びに電話番号や施設名称等のデータが記録されている。制御部２０は、メモリカードに記録されている地図データにアクセスすることでカーナビゲーションのルート検索等の諸機能を実現する。本実施形態では、メモリカードとしてＳＤカード(Secure Digital Memory Card)を使用する場合について説明する。
【００３６】
ジャイロセンサ１９は、メインユニット２に内蔵される２軸ジャイロセンサである。ジャイロセンサ１９は、ＧＰＳ衛星からの電波をＧＰＳ情報受信部９が受信できない時でも車両の測位を可能にするためのものである。なお、ＧＰＳ衛星からの電波を受信できない時の車両の位置は、制御部２０により、車速検知部１０が検知する車両速度とジャイロセンサ１９が検知する車両の進行方向とに基づいて算出される。
【００３７】
制御部２０は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、入出力インターフェース等で構成されている。制御部２０は、車両のアクセサリー電源がオンになると、ＲＯＭに記録されたコンピュータプログラムを実行し、カードメモリインターフェース１７に挿入されたメモリカードのデータやＲＡＭに格納されているデータ等を使って各種機能を実現する。制御部２０が実現する各種機能の詳細については後述する。
【００３８】
次に、ディスプレイユニット３を構成する各構成要素について説明する。タッチパネル２１は、カラー液晶ディスプレイとタッチセンサとを組み合わせたＧＵＩ（Ｇｒａｐｈｉｃａｌ  Ｕｓｅｒ  Ｉｎｔｅｒｆａｃｅ）であり、７．０インチのＥＧＡ（Ｅｎｈａｎｃｅｄ  Ｇｒａｐｈｉｃｓ  Ａｄａｐｔｅｒ）型液晶ディスプレイで画面を表示すると共に、画面に表示されたアイコン等が押されるとタッチセンサがこれを検知する。
【００３９】
表示処理部２２は、タッチパネル２１の液晶ディスプレイに表示する画面を描画処理する回路である。表示処理部２２は、制御部２０から送られる映像信号に基づき、液晶ディスプレイに格子状に均等配列された薄膜トランジスタを駆動することで、タッチパネル２１の画面を描画する。
【００４０】
操作受付部２３は、タッチパネル２１へのタッチ操作をタッチセンサが感知すると、タッチされた画面上の位置を特定し、操作された位置の情報を制御部２０へ送る。
【００４１】
操作ボタン２４は、タッチパネル２１にアイコン表示されるボタンではなく、機械的なボタンであり、図１等に示すように、タッチパネル２１の下に配置される操作用の押しボタン式スイッチである。操作ボタン２４は、ディスプレイユニット３の左側から順に、開閉ボタン、現在地ボタン、音量調整ボタンで構成されている。音量調整ボタンは、右側が押されると音量アップ、左側が押されると音量ダウンになるように設定されている。これらのボタンが押されると、押されたボタンの信号が制御部２０へ送られる。
【００４２】
赤外線受／発光部２５は、ナビゲーション装置１と携帯電話とが赤外線で双方向通信を
行うためのインターフェースであり、電気で赤外線を発光する発光素子と、受光した赤外線を電気にする受光素子で構成されている。赤外線受／発光部２５は、制御部２０から送られる制御信号やデータを携帯電話へ送るとともに、携帯電話から送られる制御信号やデータを制御部２０へ送る。なお、ナビゲーション装置１と携帯電話とはbluetooth等の無
線通信で通信することもできる。
【００４３】
次に、メインユニット２の制御部が実現する各種諸機能について詳述する。図５は、制御部２０が実現する各種機能部を図示した機能ブロック図である。車両のアクセサリー電源がオンになると、制御部２０は、図５に示すように操作処理機能部５１、測位機能部５２、ルート案内機能部５３、地図データ処理機能部５４、ユーザデータ処理機能部５５、音声処理機能部５６、映像処理機能部５７、及びカード認証機能部５８を実現するコンピュータプログラムを実行する。
【００４４】
操作処理機能部５１は、各種機能部の動作を制御するための操作画面を、映像処理機能部５７を介してタッチパネル２１に表示したり、操作受付部２３や操作ボタン２４、リセットボタン１８からの操作信号を処理し、各種機能部の動作を制御したりする。
【００４５】
測位機能部５２は、車両のアクセサリー電源がオンになると、ＧＰＳ情報受信部９から送られる衛星からの電波の情報、車速検知部１０から通知される車両速度の情報、及びジャイロセンサ１９から送られる角速度の情報に基づいて車両の位置（緯度と経度）を測位する。
【００４６】
ルート案内機能部５３は、車両の現在地からユーザが設定した目的地までのルートを索出し、ルート案内を行う機能部である。ルート案内機能部５３は、測位機能部５２が測位した車両の位置から目的地までの走行ルートを、カードメモリインターフェース１７に挿入されるメモリカードの地図データから索出する。そして、索出した走行ルートと車両の位置との関係から車両の進路を音声、及び映像で案内する。
【００４７】
地図データ処理機能部５４は、カードメモリインターフェース１７に挿入されたＳＤカード（メモリカード）の地図データやルート案内機能部５３が索出した走行ルートのデータ、放送波受信部７を介してＦＭ放送波から取得されるＶＩＣＳ（登録商標）の道路交通情報のデータ、測位機能部５２が測位した車両の位置データ等に基づき、タッチパネル２１に表示する地図のグラフィックデータを生成する。
【００４８】
ユーザデータ処理機能部５５は、ユーザが登録しようとする地点情報（例えば、自宅の位置情報等）やルート検索の履歴情報、アイコンの表示非表示等の設定情報をＲＡＭに書き込んだり、ＲＡＭから読み出したりする。
【００４９】
音声処理機能部５６は、アンプ１２を介してスピーカから出力する音声の信号を処理する機能部である。すなわち、音声処理機能部５６は、放送波受信部７が受信したラジオ放送、携帯式プレーヤインターフェース６がプレーヤから取得するオーディオ信号、ＣＤドライブ１６が再生するオーディオ信号をアンプ１２へ送ったり、これらのオーディオ信号にルート案内機能部５３からのルートガイダンスの音声信号を重畳し、アンプ１２へ送ったりする。
【００５０】
映像処理機能部５７は、タッチパネル２１に表示させる映像データを生成する機能部である。すなわち、映像処理機能部５７は、操作処理機能部５１が生成する操作画面のデータと、地図データ処理機能部５４が生成する表示用地図の画面のデータとを重畳して表示処理部２２へ送ったり、放送波受信部７が受信したテレビジョン放送の映像データを表示処理部２２へ送ったり、或いはリバース検知部５による車両後退の検知に連動してカメラ
映像入力部１１からの映像信号を表示処理部２２へ送ったりする。なお、映像処理機能部５７は、テレビジョン放送の映像データを表示処理部２２へ送っている際にブレーキ検知部４がパーキングブレーキの解除を検知すると、映像データの通知を止める。
【００５１】
カード認証機能部５８は、次に説明するように、カードメモリインターフェース１７に挿入されたＳＤカード６０（図６参照）がナビゲーション装置１の販売元から正規に販売されたＳＤカード（以下、正規ＳＤカードと呼ぶ。）であるか否かを判定し、又は正規ＳＤカード６０がナビゲーション装置１に対応しているか否かを判定する。
【００５２】
図６（Ａ），（Ｂ）は、正規ＳＤカード６０を示す。図６（Ａ）は同梱版又はパッケージ版の正規ＳＤカード６０を示す。また、図６（Ｂ）はダウンロードした地図情報（所定の情報）が記憶されているダウンロード版の正規ＳＤカード６０を示す。図６（Ａ），（Ｂ）の正規ＳＤカード６０は、正規ＳＤカード６０の製造時に書き込まれ、製造後の書換が禁止されるとともに、ユーザによってアクセスが禁止されているユーザアクセス不可領域６１と、ユーザによるアクセスが許容されているユーザアクセス可能領域６２とを有している。なお、ユーザアクセス不可領域６１は、通常のＰＣ（パソコン）等でアクセスできない領域であり、ＰＣ等のＯＳ（オペレーションソフト）で管理する範囲外の領域である。このアクセス不可領域６１に書かれたデータは、通常の方法ではコピーが不可能となるか、或いはコピーされたとしても意味のないデータとなる。また、このユーザアクセス不可領域６１は、例えばフォーマット上アクセスが禁止されている領域として設定するなど、要するに一般のＰＣ等ではアクセスできない領域として設定することができる。
【００５３】
図６（Ａ），（Ｂ）の正規ＳＤカード６０におけるユーザアクセス不可領域６１には、媒体識別情報であるメディアＩＤが記憶されている。また、図６（Ａ）の正規ＳＤカード６０におけるユーザアクセス可能領域６２には、地図情報と、メディアＩＤ及び地図情報のバージョン番号を暗号化した第１認証キーファイルとが記憶されている。図６（Ｂ）の正規ＳＤカード６０におけるユーザアクセス可能領域６２には、地図情報と、ナビゲーション装置１を他のナビゲーション装置と区別するため、ナビゲーション装置一台毎に個別に付与された識別情報であるＥコード、及びバージョン番号を暗号化した第２認証キーファイルとが記憶されている。なお、本実施形態では、ユーザアクセス不可領域６１は、フォーマット上、書き換え及びユーザによるアクセスが禁止されている。
【００５４】
メディアＩＤは、正規ＳＤカード６０を別の正規ＳＤカードから識別するための固有の番号であり、正規ＳＤカード６０一枚毎に別のメディアＩＤが付与されている。Ｅコードは、上記のようにナビゲーション装置１を他のナビゲーション装置と区別するための固有の番号であり、ナビゲーション装置毎に個別に付与されている。第１又は第２認証キーファイルの暗号化方式は、一般的な暗号化方式を使用できるのでその詳細な説明を省略する。
【００５５】
図５のカード認証機能部５８は、図７に示すように、正規ＳＤカード６０のユーザアクセス不可領域６１内のメディアＩＤを読み込む第１読込手段７１と、ユーザアクセス可能領域６２内の地図情報と、第１認証キーファイル又は第２認証キーファイルとを読み込む第２読込手段７２と、第２読込手段７２によって読み込まれた第１認証キーファイル又は第２認証キーファイルを復号化してメディアＩＤ又はＥコード、及びバージョン番号を取得する復号化手段７３と、第１読込手段７１によって読み込まれたメディアＩＤと、復号化手段７３によって取得されたメディアＩＤとを照合し、両方のメディアＩＤが互いに一致するか否かを判定するＩＤコード照合判定手段７４と、第１読込手段７１によって読み込まれたＥコードと、ナビゲーション装置１が有するＥコードとを照合し、両方のＥコードが一致するか否かを判定するＥコード照合判定手段７６と、両方のメディアＩＤが一致すると判定したとき、又は両方のＥコードが一致すると判定したときに限り、第２読込手
段７２が読み込んだ地図情報を表示する表示手段７５と、を備えている。なお、本実施形態では、表示手段７５は表示処理部２２によって兼用される。
【００５６】
＜ナビゲーション装置の動作＞
以下、ナビゲーション装置１の動作について説明する。図８はナビゲーション装置１のメイン画面の画面遷移図であり、図９はナビに関する画面遷移図である。また、図１０は、ＡＶ画面の表示モードを示した図である。以下、図８〜１０に基づいてナビゲーション装置１の動作について説明する。
【００５７】
（Ｄ１０１）オープニング画面（Ｄ１０１）について説明する。車両のアクセサリー電源がオンになり、ナビゲーション装置１に電力が供給されると、制御部２０は、ＲＯＭに格納されているコンピュータプログラムを実行してナビゲーション装置１を初期化し、図５に示す各種機能部を実現する。ここで、映像処理機能部５７は、ＲＯＭに格納されているオープニング画面のデータを参照し、タッチパネル２１にオープニング画面を表示させる。なお、オープニング画面が表示されている間、制御部２０の各機能部では、次のような処理が実行される。すなわち、操作処理機能部５１は、操作受付部２３や操作ボタン２４、リセットボタン１８からの信号を走査してユーザ操作を受け付ける。また、測位機能部５２は、ＧＰＳ情報受信部９で取得される測位情報や車速検知部１０、ジャイロセンサ１９の信号を処理し、車両の位置を測定する。
【００５８】
また、カード認証機能部５８は、カードメモリインターフェース１７に挿入された正規ＳＤカード６０へアクセスする。そして、カード認証機能部５８の第１読込手段７１は、正規ＳＤカード６０のユーザアクセス不可領域６１からメディアＩＤを読み込む。また、第２読込手段７２は、正規ＳＤカード６０のユーザアクセス可能領域６２から第１認証キーファイル、又は第２認証キーファイルを読み込む。復号化手段７３は、この第１認証キーファイル又は第２認証キーファイルを復号化し、メディアＩＤ又はＥコード、及びバージョン番号を取得する。なお、第１認証キーファイルと第２認証キーファイルとは、ファイルサイズを変えることにより区別できる。
【００５９】
ＩＤ照合判定手段７４は、第１読込手段７１が読み込んだメディアＩＤと、復号化手段７３が取得したメディアＩＤとを照合し、両方のメディアＩＤが一致するか否かを判断する。また、Ｅコード照合判定手段７６は、第２読込手段７２が読み込んだＥコードと、復号化手段７３が取得したＥコードとを照合し、両方のＥコードが一致するか否かを判断する。
【００６０】
そして、ＩＤ照合判定手段７４が両方のメディアＩＤは一致すると判断したときには、表示処理部２２は、カードメモリインターフェース１７に挿入されている正規ＳＤカード６０へアクセスし、測位機能部５２が測位した自車位置の周辺の地図データを読み出す。ＩＤ照合判定手段７４が両方のメディアＩＤは一致しないと判断したときには、表示処理部２２は正規ＳＤカード６０へのアクセスを停止する。これにより、タッチパネル２１による地図データの表示が停止する。
【００６１】
また、Ｅコード照合判定手段７６が両方のＥコードは一致すると判断したときには、表示処理部２２は、カードメモリインターフェース１７に挿入されている正規ＳＤカード６０へアクセスし、測位機能部５２が測位した自車位置の周辺の地図データを読み出す。Ｅコード照合判定手段７６が両方のＥコードは一致しないと判断したときには、表示処理部２２は正規ＳＤカード６０へのアクセスを停止する。これにより、タッチパネル２１による地図データの表示が停止する。
【００６２】
（Ｄ１０２）次に、マルチ画面（Ｄ１０２）について説明する。オープニング画面が表
示されてから４秒経つと、映像処理機能部５７は、ＲＯＭに格納されている操作ボタン類の画像データや地図データ処理機能部５４が読み出した地図データを基に、ＡＶの操作画面とナビの操作画面とを組み合わせたマルチ画面（Ｄ１０２）を生成し、タッチパネル２１に表示する。図１１は、マルチ画面の図である。映像処理機能部５７は、図１１に示すように、ＡＶ類の操作ボタン類を配置したＡＶ領域の画面をタッチパネル２１の左側に表示し、ナビの地図や操作ボタン類を配置したナビ領域の画面をタッチパネル２１の右側に表示する。ＡＶ領域は、更に、ソースを選択するための操作ボタン類をまとめて表示するソース選択領域と、選択されたソースに関連するボタンや情報を表示するソース操作領域とに区分されている。
【００６３】
図１１に示すように、映像処理機能部５７は、ＡＶ領域の内のソース選択領域に、「ラジオ」、「ＣＤ」、「ワンセグ」、「ｉＰｏｄ」、「外部入力」、「ＯＦＦ」、及び「ＡＶ」ボタンを表示する。何れかのソースボタンがタッチされると、そのソースが選択される。図１１の例では、「ラジオ」が選択されており、受信周波数やＡＭ／ＦＭの切り替えボタン、選局ボタン等の選択されたソースに関連する操作ボタンや情報がソース操作領域に表示されている状態を図示している。従って、このとき、音声処理機能部５６は、放送波受信部７が受信したＡＭ放送の音声信号を、アンプ１２を介してスピーカから出力している。他方、映像処理機能部５７は、ナビ領域に、地図データ処理機能部５４が読み出した地図データに基づいて描画される地図の他、「メニュー」、「目的地」、「周辺」、「自宅」、「ナビ」、「地図拡大」、及び「地図縮小」ボタンを表示する。なお、マルチ画面（Ｄ１０２）では、ＡＶ領域とナビ領域の２つが存在するため、ＡＶ領域がＡＶ全画面（Ｄ１０４）の時よりも狭い。そこで、マルチ画面（Ｄ１０２）のソース操作領域には、そのソースに関わる操作ボタンや情報のうち基本的なものだけが表示されるようになっている。
【００６４】
この状態で「ＡＶ」ボタンが押されたことを操作処理機能部５１が検知すると、映像処理機能部５７は、ＡＶ全画面（Ｄ１０４）の画面表示状態に遷移する。なお、その他のボタンが押された場合についてはナビ全画面（Ｄ１０３）、及びＡＶ全画面（Ｄ１０４）の説明の後に詳述する。
【００６５】
（Ｄ１０３）次に、ナビ全画面（Ｄ１０３）について説明する。映像処理機能部５７は、マルチ画面（Ｄ１０２）に表示されている「ナビ」ボタンが押されたことを操作処理機能部５１が検知すると、ＡＶ領域を徐々に隠し、ナビ領域を全画面に表示する。図１２は、ナビ全画面の図である。映像処理機能部５７は、図１２に示すように、ＡＶ領域を消し、ナビ領域をタッチパネル２１に全画面表示する。
【００６６】
図１２に示すように、ナビ領域には、マルチ画面（Ｄ１０２）と同様、地図や、「メニュー」、「目的地」等の操作ボタンが表示されている。ここで、映像処理機能部５７は、ナビ全画面に表示される自車位置のアイコンが、ナビ領域の中心に位置するように画面を表示している。このため、タッチパネル２１の表示画面がマルチ画面（Ｄ１０２）からナビ全画面（Ｄ１０３）に遷移すると、自車位置のアイコンや地図の表示が、画面内で若干スクロールする。一方、映像処理機能部５７は、「メニュー」や「目的地」等の操作ボタン類がタッチパネル２１の表示画面上で同じ位置になるように画面を表示する。このため、タッチパネル２１の表示画面がマルチ画面（Ｄ１０２）からナビ全画面（Ｄ１０３）に遷移しても、ナビの操作ボタン類がタッチパネル２１の画面上でスクロールせず、同じ位置に表示され続ける。但し、「ナビ」ボタンのみ「ＡＶ＋ナビ」ボタンに表示が切換わる。なお、「ＡＶ＋ナビ」ボタンが押されると、映像処理機能部５７は、ナビ全画面（Ｄ１０３）からマルチ画面（Ｄ１０２）へ表示を切り替える。
【００６７】
（Ｄ１０４）次に、ＡＶ全画面（Ｄ１０４）について説明する。映像処理機能部５７は
、マルチ画面（Ｄ１０２）に表示されている「ＡＶ」ボタンが押されたことを操作処理機能部５１が検知すると、ナビ領域を徐々に隠し、ＡＶ領域を全画面に表示する。図１１は、ＡＶ全画面の図である。映像処理機能部５７は、図１１に示すように、ナビ領域を消し、ＡＶ領域をタッチパネル２１に全画面表示する。
【００６８】
図１３に示すように、ＡＶ領域には、マルチ画面（Ｄ１０２）と同様、「ラジオ」、「ＣＤ」、「ワンセグ」、「ｉＰｏｄ」、「外部入力」、及び「ＯＦＦ」ボタンがソース選択領域に表示されている。また、ＡＶ領域には、ソース操作領域が拡大されて、マルチ画面（Ｄ１０２）で表示されていなかった放送局の名称やプリセットの選局ボタン、チャンネル設定ボタンや音設定ボタンが表示されている。また、ＣＤドライブ１６にＣＤが挿入されていることを示す「ＣＤＩＮ」が表示されている。ここで、ＡＶ領域には、マルチ画面（Ｄ１０２）で表示されていた「ラジオ」等の操作ボタン類が同じ位置に表示されている。但し、「ナビ」ボタンのみ「ＡＶ＋ナビ」ボタンに表示が切換わる。以下、マルチ画面とＡＶ全画面の両方で表示される領域を「ＡＶ通常領域」といい、ＡＶ全画面でのみ表示される領域を「ＡＶ拡張領域」という。なお、「ＡＶ＋ナビ」ボタンが押されると、映像処理機能部５７は、ＡＶ全画面（Ｄ１０４）からマルチ画面（Ｄ１０２）へ表示を切り替える。なお、ＡＶ全画面（Ｄ１０４）では、ナビ領域が存在しないので、ＡＶ領域がマルチ画面（Ｄ１０２）の時よりも広い。そこで、ＡＶ全画面（Ｄ１０４）のソース操作領域には、そのソースに関わる全ての操作ボタンや情報が表示されるようになっている。このように、ＡＶ全画面（Ｄ１０４）の場合にのみ表示されるソースの操作ボタンや情報類の表示領域が「ＡＶ拡張領域」であり、ソース操作領域の一部を構成している。一方、マルチ画面（Ｄ１０２）とＡＶ全画面（Ｄ１０４）の何れにも表示されるソースの操作ボタンや情報類の表示領域が「ＡＶ通常領域」であり、ソース操作領域の一部とソース選択領域とを構成している。
【００６９】
ナビゲーション装置１のメイン画面の画面遷移（図６）については以上の通りである。以下、マルチ画面（Ｄ１０２）からナビ全画面（Ｄ１０３）、或いはＡＶ全画面（Ｄ１０４）へ画面が遷移する際の、ナビ領域、及びＡＶ領域の画面上の動き方について詳述する。図１４は、マルチ画面（Ｄ１０２）からナビ全画面（Ｄ１０３）へ遷移する際の、ＡＶ領域の消え方を示す図である。また、図１５は、マルチ画面（Ｄ１０３）からＡＶ全画面（Ｄ１０４）へ遷移する際の、ナビ領域の消え方を示す図である。映像処理機能部５７は、マルチ画面からナビ、或いはＡＶ全画面へ表示を切り替えるに際し、ナビ領域やＡＶ領域がスクロールして見えるように画面表示を行っている。すなわち、映像処理機能部５７は、マルチ画面からナビ全画面へ表示を切り替える際、ＡＶ領域が徐々に左側に退出していくように、換言すれば、ＡＶ領域の表示面積が徐々に減少するようにスクロールすると共に、ナビ領域の表示面積が徐々に増加するようにスクロールしていくように、画面を表示する。また、映像処理機能部５７は、マルチ画面からＡＶ全画面へ表示を切り替える際、その反対にＡＶ領域が徐々に右側に進入してくるように画面を表示する。これにより、ユーザは、ナビ画面上にＡＶ画面が抜き差しされるように感じ取ることができる。従って、ナビの画面を見たければ、マルチ画面（Ｄ１０２）の右側に表示されている「ナビ」ボタンを押すことにより、ナビ全画面（Ｄ１０３）に遷移することを視覚的に容易に理解することができ、ＡＶの画面を見たければ、マルチ画面（Ｄ１０２）の左側に表示されている「ＡＶ」ボタンを押すことにより、ＡＶ画面が抜き差しされることを容易に理解することができる。図１６は、メイン画面の画面遷移の様子を示した概念図である。ユーザは、図１６に示すように、表示窓から覗き込むと見える右側の面（本実施形態でいうナビ画面に相当する）の上に、左側の面（本実施形態でいうＡＶ画面に相当する）が左側から抜き差しされるようなイメージで、ナビゲーション装置１のメイン画面を操作できる。よって、今どこにいるのかが判りやすく、安心して操作することができる。
【００７０】
（Ｄ２０１）次に、ナビゲーション装置１のナビに関する画面について説明する。まず
始めに、メニュー画面（Ｄ２０１）について説明する。マルチ画面（Ｄ１０２）またはナビ全画面（Ｄ１０３）のナビ領域に表示されている「メニュー」ボタンが押されたことを操作処理機能部５１が検知すると、映像処理機能部５７は、メニュー画面（Ｄ２０１）をタッチパネル２１に表示する。図１７は、メニュー画面（Ｄ２０１）の図である。映像処理機能部５７は、図１７に示すように、ナビ領域の「メニュー」ボタンから立ち上がるようにメニューのポップアップを表示する。ここで、映像処理機能部５７は、メニューのポップアップが「メニュー」ボタンから徐々に立ち上がるようにアニメーション表示し、更に、マルチ画面（Ｄ１０２）がポップアップの下側に見えるようにしている。なお、ポップアップとは、画面に表示されるボタンを押すと、そのボタンから立ち上がるように表示される領域であり、例えば、メニューの項目等が表示される領域である。図１８は、マルチ画面（Ｄ１０２）からメニュー画面（Ｄ２０１）へ遷移する際のアニメーションを示した図である。マルチ画面（Ｄ１０２）の「メニュー」ボタンが押されると、「メニュー」ボタンから立ち上がるようにメニューのポップアップが表示される。従って、ユーザは、メニュー画面がマルチ画面から遷移して表示されていることを視覚で容易に理解することが可能であり、安心して操作することができる。なお、メニュー画面（Ｄ２０１）には、アイコンや施設表示等のユーザ設定用ボタンや、お気に入り地点の編集用ボタンが表示される。ユーザが登録した地点情報等は、ユーザデータ処理機能部５５により、制御部２０内のＲＡＭに記憶される。
【００７１】
（Ｄ２０２）次に、目的地設定画面（Ｄ２０２）について説明する。映像処理機能部５７は、マルチ画面（Ｄ１０２）またはナビ全画面（Ｄ１０３）のナビ領域に表示されている「目的地」ボタンが押されたことを操作処理機能部５１が検知すると、目的地設定画面（Ｄ２０２）をタッチパネル２１に表示する。すなわち、映像処理機能部５７は、図１９に示すように、ナビ領域の「目的地」ボタンから立ち上がるように目的地設定用のボタンが配置されたポップアップをアニメーション表示する。映像処理機能部５７は、操作処理機能部５１が目的地設定用の何れかのボタンが押されたことを検知すると、これに対応する画面を表示する。映像処理機能部５７は、例えば、「５０音で探す」ボタンが押されれば文字入力用の画面を表示し、「住所で探す」ボタンが押されれば都道府県等を選択する画面を表示し、「携帯連携で探す」ボタンが押されれば赤外線受／発光部２５に携帯電話を近づけるようユーザに促す画面を表示し、「履歴で探す」ボタンが押されれば過去に検索したことのある目的地を表示する。赤外線受／発光部２５によって携帯電話から供される通信データには、目的地の緯度や経度、或いは住所や電話番号といった位置情報が含まれている。「５０音検索」、「住所で探す」、「携帯連携で探す」、或いは「履歴で探す」ボタンを押すと表示される画面により目的地が設定されると、ルート案内機能部５３は、測位機能部５２が計測する自車位置と目的地までの最短ルートを索出し、ルートガイドを開始する。
【００７２】
（Ｄ２０３）次に、周辺施設検索画面（Ｄ２０３）について説明する。映像処理機能部５７は、マルチ画面（Ｄ１０２）またはナビ全画面（Ｄ１０３）のナビ領域に表示されている「周辺」ボタンが押されたことを操作処理機能部５１が検知すると、周辺施設検索画面（Ｄ２０３）をタッチパネル２１に表示する。すなわち、映像処理機能部５７は、図２０に示すように、ナビ領域の「周辺」ボタンから立ち上がるように周辺施設検索用のボタン類を配置したポップアップをアニメーション表示する。そして、上述したＤ２０３と同様、何れかのボタンが押されればこれに対応する画面を表示する。すなわち、映像処理機能部５７は、「周辺」ボタンが押されると、検索対象とする施設のカテゴリをユーザに選択させるボタンを表示し、検索対象のカテゴリが指定されると、自車位置の周辺にあるガソリンスタンドやコンビニエンスストア等、指定されたカテゴリに対応する施設類を、自車に近い順に索出して表示する。
【００７３】
（Ｄ２０４）次に、交差点拡大画面（Ｄ２０４）について説明する。上述した目的地設
定画面（Ｄ２０２）、或いは周辺検索画面（Ｄ２０３）で目的地が設定されるか、または、マルチ画面（Ｄ１０２）やナビ全画面（Ｄ１０３）に表示されている「自宅」ボタンが押されて目的地が設定されると、ルート案内機能部５３によるルートガイドが開始される。ルート案内機能部５３は、測位機能部５２が計測する自車位置と、地図データ処理機能部５４がカードメモリから読み出す地図データとに基づいてルートの案内を行う。ルート案内機能部５３は、右折あるいは左折等を行う交差点に車両が接近したら、交差点拡大画面（Ｄ２０４）を表示すると共に、音声処理機能部５６に経路案内用の音声データを渡す。図２１は、交差点拡大画面（Ｄ２０４）を示す図である。図２１に示すように、ナビ領域には交差点の拡大図が表示され、車両の進むべき進路が矢印で図示される。なお、このとき、ＡＶ領域には、オーディオ／ビジュアル用の操作ボタン類が表示されている。
【００７４】
次に、ナビゲーション装置１のＡＶ画面の表示モードについて説明する。図１０で示したように、ナビゲーション装置１のＡＶ画面には、ラジオモード、ＣＤモード、ワンセグモード、ｉＰｏｄモード、外部入力モード、及びオフモードの６つの画面が用意されている。映像処理機能部５７は、ＡＶ領域の左側に用意されている何れかのソース選択ボタン或いは「ＯＦＦ」ボタンが押されると、これに対応するモードのＡＶ操作画面を表示する。映像処理機能部５７は、例えば、「ラジオ」ボタンが押されれば、図１１に示すようなラジオの周波数や選局ボタンを表示する。ＣＤやｉＰｏｄボタンについても同様である。また、映像処理機能部５７は、「ワンセグ」ボタンや「外部入力」ボタンが押されれば、ＡＶ領域に選局ボタン等を表示すると共に、ナビ領域の表示を放送波受信部７からの映像や外部音声／映像入力部８の映像に切り替える。但し、映像処理機能部５７は、ブレーキ検知部４がパーキングブレーキ信号の解除を検知した場合、放送波受信部７や外部音声／映像入力部８からの映像表示を止める。
【００７５】
《地図配信システムの構成》
【００７６】
正規ＳＤカード６０は、上記のように、ナビゲーション装置１に同梱されて販売されたもの、地図情報の更新版を格納したパッケージとしてナビゲーション装置１とは別に販売されたもの、又はナビゲーション装置１の製造メーカ又は販売元が設置した地図配信サーバ（情報配信サーバ）からユーザのＰＣによってダウンロードしてもらうことにより販売されたものがある。なお、ユーザがダウンロードした地図情報は、ユーザがＰＣを用いて同梱版又はパッケージ版の正規ＳＤカード６０に記憶されている地図情報に上書きする。ここで、インターネットによる地図情報のダウンロード販売では、ユーザ以外の者が地図情報をダウンロードできないようにするため、ユーザの認証処理を厳重に行う必要がある。
【００７７】
そこで、本実施形態では、図２２に示すように、地図配信システム（情報配信システム）１００により、ナビゲーション装置１のユーザが地図情報をダウンロードする際に、ユーザの認証を厳重にすることによって、ユーザ以外の者が地図情報等をダウンロードするのを抑制する。
【００７８】
図２２は、本実施形態に係る地図配信システム１００を示す。この地図配信システム１００は、ナビゲーション装置１の製造メーカ又は販売元が設置する地図配信サーバ（情報配信サーバ）２００と、ナビゲーション装置１のユーザが所有する端末装置であるユーザＰＣ３００と、ユーザが所有する携帯端末装置であるユーザ携帯電話４００とを備えている。地図配信サーバ２００、ユーザＰＣ３００及びユーザ携帯電話４００は、インターネット（ネットワーク）１５０を介して接続されている。
【００７９】
次に、上記各構成要素について説明する。地図配信サーバ２００は、コンピュータプログラムを実行することによって構成される。また、地図配信サーバ２００は、ＣＰＵ、メ
モリ、ハードディスク、表示装置、入力装置（キーボード、マウス等）、ネットワークＩ／Ｆ、着脱可能記憶媒体駆動装置等を有する。
【００８０】
この地図配信サーバ２００は、図２３に示すように、ユーザ携帯電話４００から送信された電子メールを受信するメール受信手段２０１と、ユーザ携帯電話４００の電子メールアドレス、又は電子メールアドレスとナビゲーション装置１のＥコードとを関連付けて登録するユーザ登録手段２０２と、地図情報のバージョン番号、及びナビゲーション装置１毎に個別に付与された識別情報であるＥコードを含む第２認証キーファイルを生成する第２認証キーファイル生成手段２０３と、ナビゲーション装置１用の地図情報、この地図情報のバージョン番号、及び第２認証キーファイルを記憶する記憶手段２０４と、ユーザ携帯電話４００からナビゲーション装置１のＥコードを含む電子メールを受信した際に、受信した電子メールの差出人欄に含まれる電子メールアドレスと、ユーザ登録手段２０２に登録されている電子メールアドレスとが一致するか否かを判定し、一致する場合にユーザであることを認証するユーザ認証手段２０５と、このユーザ認証手段２０５がユーザであることを認証した際に、ＰＣ３００が記憶手段２０４にアクセスして、Ｅコードに対応する地図情報、バージョン番号、第２認証キーファイル、及び書込アプリケーションソフトをダウンロードするのを許可するダウンロード許可手段２０６と、を備えている。なお、第２認証キーファイルは、上記のようにバージョン番号、及びＥコードを周知の暗号化方式によって暗号化したものである。
【００８１】
ユーザＰＣ３００は、ＣＰＵ、メモリ、ハードディスク、表示装置、入力装置（キーボード、マウス等）、ネットワークＩ／Ｆ、着脱可能記憶媒体駆動装置等を有する。このユーザＰＣ３００は、図２４に示すように、通信手段３０１と、ダウンロード手段３０２と、第１読込手段３０３と、第２読込手段３０４と、復号化手段３０５と、ＩＤ照合判定手段３０６と、書込手段３０７と、ＳＤカードを着脱自在に挿入するＳＤカード着脱手段３０８と、を備えている。
【００８２】
通信手段３０１は、地図配信サーバ２００とインターネット１５０を介して通信する。ダウンロード手段３０２は、通信手段３０１を介して地図配信サーバ２００から地図情報、地図情報のバージョン番号、第２認証キーファイル、及びこれらの情報を正規ＳＤカード６０に書き込むための書込アプリケーションソフトをダウンロードする。第１読込手段３０３は、ＳＤカード着脱手段３０８に挿入されている正規ＳＤカード６０から、ユーザアクセス不可領域６１内のメディアＩＤを読み込む。第２読込手段３０４は、正規ＳＤカード６０のユーザアクセス可能領域６２内の第１認証キーフィル（メディアＩＤ、バージョン番号を含む。）、及び地図情報を読み込む。復号化手段３０５は、第１認証キーファイルを復号化してメディアＩＤとバージョン番号を取得する。
【００８３】
ＩＤ照合判定手段３０６は、第１読込手段３０３が読み込んだメディアＩＤと復号化手段３０５が取得したメディアＩＤとを照合して、両方のメディアＩＤが一致するか否かを判断する。書込手段３０７は、ＩＤ照合判定手段３０６が両方のメディアＩＤが一致すると判断したときに、ダウンロードした地図情報、バージョン番号を、正規ＳＤカード６０のユーザアクセス可能領域６２に記憶されている地図情報、バージョン番号に上書きし、ダウンロードした第２認証ファイルを追記する。
【００８４】
また、図２３のユーザの携帯電話４００は、ナビゲーション装置１に表示される二次元コードであるＱＲコード（登録商標）であって、地図配信サーバ２００の電子メールアドレス、及びナビゲーション装置１のＥコードを含むＱＲコードを読み取る二次元コード読取手段４０１と、ＱＲコードに含まれる地図配信サーバ２００の電子メールアドレスに、ＱＲコードに含まれるナビゲーション装置１のＥコードを含む電子メールを送信するメール送信手段４０２と、を備えている。
【００８５】
次に、この地図配信システム１００によって、ユーザＰＣ３００が地図配信サーバ２００から地図情報をダウンロードする場合について説明する。この場合は、まず、ユーザ携帯電話４００の二次元コード読取手段４０１が、ナビゲーション装置１のタッチパネル２１に表示されるＱＲコードを読み取る。なお、ＱＲコードは、例えばタッチパネル２１に表示された所定の押しボタンを押すことによりタッチパネル２１に表示される。
【００８６】
ＱＲコードには、上記のようにナビゲーション装置１を他のナビゲーション装置と識別するため、ナビゲーション装置毎に付与された識別情報であるＥコードと、地図配信サーバ２００のメール受信手段２０１に設定された電子メールアドレスとが含まれている。ユーザ携帯電話４００は、このＱＲコードを読み取ることにより、地図配信サーバ２００の電子メールアドレスをディスプレイに表示する。そして、ユーザがユーザ携帯電話４００の送信ボタンを押すことにより、表示された地図配信サーバ２００の電子メールアドレスにＥコード及びユーザ携帯電話４００の電子メールアドレスを含む電子メールが送信される。
【００８７】
地図配信サーバ２００のメール受信手段２０１が、ユーザ携帯電話４００から送信された電子メールを受信すると、ユーザ認証手段２０５はこの電子メールの差出人欄に含まれるユーザ携帯電話４００の電子メールアドレスと、ユーザ登録手段２０２に登録されているユーザ携帯電話４００の電子メールアドレスとが一致するか否かを判定し、一致する場合はユーザであることを認証する。また、一致する場合は、ユーザ登録手段２０２は、既に登録されているユーザ携帯電話４００の電子メールアドレスに関連付けて、電子メールに含まれるＥコードを登録する。
【００８８】
ユーザ認証手段２０５がユーザであることを認証した場合は、ダウンロード許可手段２０６はＰＣ３００が記憶手段２０４にアクセスして、地図情報、バージョン番号、及び第２認証キーファイルをダウンロードするのを許可する。これにより、ユーザＰＣ３００のダウンロード手段３０２は、地図情報、バージョン番号、第２認証キーファイル、及び書込アプリケーションソフトをダウンロードする。これらのダウンロードした地図情報、バージョン番号は、書込手段３０７が書込アプリケーションソにより、ＳＤカード着脱手段３０８に挿入された正規ＳＤカード６０の地図情報、バージョン番号に上書きされ、第２認証キーファイルは追記される。つまり、ダウンロード版の正規ＳＤカード６０のユーザアクセス可能領域６２には、メディアＩＤとＥコードが記憶される。
【００８９】
《地図情報のダウンロード処理フロー》
図２５は、地図情報のダウンロード処理フローを示す。ここでは、まず、ユーザ携帯電話４００の二次元コード読取手段２０１は、ナビゲーション装置１に表示されているＱＲコードを読み取る（Ｓ１）。次に、ユーザ携帯電話４００のメール送信手段４０２は、地図配信サーバ２００に電子メールを送信する（Ｓ２）。次に、地図配信サーバ２００のユーザ認証手段２０５は、受信した電子メールの差出人欄に含まれる電子メールアドレスと、登録済みの電子メールアドレスとを照合し（Ｓ３）、両方の電子メールアドレスが一致する場合にユーザであることを認証する（Ｓ４）。
【００９０】
ステップ（Ｓ４）でユーザ認証手段２０５がユーザであることを認証した場合は（ｙｅｓ）、次に、ダウンロード許可手段２０６は、ユーザＰＣ３００が記憶手段２０４にアクセスして地図情報、バージョン番号、第２認証キーファイル、及び書き込みアプリケーションソフトをダウンロードするのを許可すると共に、ユーザ登録手段２０２がＥコードを電子メールアドレスに関連付けて登録する（Ｓ５）。これにより、ユーザＰＣ３００は、地図配信サーバ２００から、地図情報、バージョン番号、第２認証キーファイル、及び書き込みアプリケーションソフトをダウンロードする（Ｓ６）。これにより、ダウンロード
処理を終了する。また、ステップ（Ｓ４）で、ユーザ認証手段２０５がユーザであることを認証しなかった場合は、ダウンロード処理を終了する。
【００９１】
なお、ナビゲーション装置１は、正規ＳＤカード６０に格納されている地図情報を読み込む前に、正規ＳＤカード６０のユーザアクセス可能領域６２に第１認証キーファイル（メディアＩＤを含む）のみきおくされているか、又は第１認証キーファイルと第２認証キーファイル（Ｅコードを含む）の両方が記憶されているかを判断する。そして、ユーザアクセス可能領域６２に第１認証キーファイルのみ記憶されている場合は、その正規ＳＤカード６０が同梱版又はパッケージ版であると判断し、メディアＩＤの照合判定を行う。また、ユーザアクセス可能領域６２に第１及び第２認証キーファイルが記憶されている場合は、その正規ＳＤカードがダウンロード版であると判断して、メディアＩＤ及びＥコードの照合判定を行う。
【００９２】
《地図情報等の書き込み処理フロー》
図２６は、ユーザＰＣ３００がダウンロードした地図情報等を、同梱版又はパッケージ版の正規ＳＤカード６０に書き込む処理フローを示す。ここでは、まず、第１読込手段３０３は、正規ＳＤカード６０のユーザアクセス不可領域６１からメディアＩＤを読み込む（Ｓ１１）。次に、第２読込手段３０４は、正規ＳＤカード６０のユーザアクセス可能領域６２から第１認証キーファイル、地図情報、及びバージョン番号を読み込む（Ｓ１２）。
【００９３】
次に、復号化手段３０５は、第１認証キーファイルを復号化し、メディアＩＤ、及びバージョン番号を取得する（Ｓ１３）。次に、ＩＤ照合判定手段３０６は、第１読込手段３０３が読み込んだメディアＩＤと、復号化手段３０５が取得したメディアＩＤとを照合し、両方のメディアＩＤが一致するか否かを判断する（Ｓ１４）。
【００９４】
ステップ（Ｓ１４）で、ＩＤ照合判定手段３０６が、両方のメディアＩＤは一致しない（ユーザアクセス可能領域６２にメディアＩＤがない場合を含む）と判断した場合は、処理を終了する。
【００９５】
ステップ（Ｓ１４）でＩＤ照合判定手段３０６が、両方のメディアＩＤは一致すると判断した場合（ｙｅｓ）は、次に、ＩＤ照合判定手段３０６はダウンロードしたバージョン番号が、正規ＳＤカード６０に記憶されているバージョン番号より新しいか否かを判断する（Ｓ１５）。ステップ（Ｓ１５）で、ＩＤ照合判定手段３０６がダウンロードしたバージョン番号が正規ＳＤカード６０に記憶されているバージョン番号より新しいと判断した場合は（ｙｅｓ）、次に、書き込み手段３０７は、正規ＳＤカード６０のユーザアクセス可能領域６２に記憶されている地図情報、バージョン番号及び第１認証キーファイルを、ダウンロードした地図情報、バージョン番号に上書きし、第２認証ファイルを追記する。（Ｓ１６）。これにより、処理を終了する。
【００９６】
本実施形態によれば、地図配信サーバ２００がユーザ携帯電話４００から電子メールを受信し、この電子メールの差出人欄に含まれる電子メールアドレスを、予め登録されている電子メールアドレスと比較照合し、両方の電子メールアドレスが一致する場合にだけユーザであることを認証し、ユーザＰＣ３００が地図配信サーバ２００の記憶手段２０４にアクセスして地図情報等をダウンロードするのを許可する。ユーザ携帯電話４００は、通常ユーザが常時携帯し、ユーザ以外の者が使用することはほとんどないので、携帯電話から受信した電子メールの差出人欄にユーザ携帯電話４００の電子メールアドレスが記載されている場合、ユーザが電子メールを送信している可能性が高くなる。従って、ユーザの認証を厳重に行うことができ、ユーザ以外の者が地図情報等をダウンロードするのを大幅に抑制できる。
【００９７】
また、ダウンロード版の正規ＳＤカード６０は、ユーザアクセス可能領域６２に地図情報、バージョン番号、及びバージョン番号とＥコードとを含む第２認証キーファイルが記憶されている。ナビゲーション装置１は、この第２認証キーファイルに含まれているＥコードと、ナビゲーション装置１に記憶されているＥコードとが一致したときに地図情報を表示し、一致しないときは表示しない。従って、ダウンロード版の正規ＳＤカード６０が、ユーザの所有するナビゲーション装置１以外のナビゲーション装置で使用されるのを抑制できる。
【００９８】
なお、本実施形態では、本発明をナビゲーション装置１及び地図配信システム１００に適用した場合について説明したが、本発明はこれに限らず、各種の情報処理装置、情報配信システムに適用できる。
【図面の簡単な説明】
【００９９】
【図１】実施形態に係るナビゲーション装置の外観図である。
【図２】実施形態に係るナビゲーション装置の構成図である。
【図３】実施形態に係るディスプレイの動作を示す図である。
【図４】実施形態に係るディスプレイの動作を示す図である。
【図５】実施形態に係る制御部の機能ブロック図である。
【図６】図６（Ａ）は実施形態に係る同梱版又はパッケージ版の正規ＳＤカードを示す図、図６（Ｂ）はダウンロード版正規ＳＤカードを示す図である。
【図７】実施形態に係るカード認証機能部を示す図である。
【図８】実施形態に係るＡＶＮのメイン画面の画面遷移図である。
【図９】実施形態に係るナビの画面遷移図である。
【図１０】実施形態に係るＡＶ画面の表示モードを示す図である。
【図１１】実施形態に係るマルチ画面の図である。
【図１２】実施形態に係るナビ全画面の図である。
【図１３】実施形態に係るＡＶ全画面の図である。
【図１４】実施形態に係るＡＶ領域の消え方を示す図である。
【図１５】実施形態に係るナビ領域の消え方を示す図である。
【図１６】実施形態に係るメイン画面の画面遷移を示す概念図である。
【図１７】実施形態に係るメニュー画面の図である。
【図１８】実施形態に係るマルチ画面からメニュー画面へ遷移する際のアニメーションを示した図である。
【図１９】実施形態に係る目的地設定画面の図である。
【図２０】実施形態に係る周辺施設検索画面の図である。
【図２１】実施形態に係る交差点拡大画面を示す図である。
【図２２】実施形態に係る地図配信システムを示す図である。
【図２３】実施形態に係る地図配信サーバ及びユーザ携帯電話を示す図である。
【図２４】実施形態に係るユーザ端末装置を示す図である。
【図２５】実施形態に係る地図情報等のダウンロード処理を示すフローチャートである。
【図２６】実施形態に係る地図情報等を正規ＳＤカードに書き込む処理を示すフローチャートである。
【符号の説明】
【０１００】
１ ナビゲーション装置
２ メインユニット
３ ディスプレイユニット
４ ブレーキ検知部
５ リバース検知部
６ 携帯式プレーヤインターフェース
７ 放送波受信部
８ 映像入力部
９ 情報受信部
１０ 車速検知部
１１ カメラ映像入力部
１２ アンプ
１３Ａ 開閉制御部
１３Ｂ 角度制御部
１４ 角度センサ
１５  モータ
１６  ドライブ
１７  カードメモリインターフェース
１８  リセットボタン
１９  ジャイロセンサ
２０  制御部
２１  タッチパネル
２２  表示処理部
２３  操作受付部
２４  操作ボタン
２５  発光部
２６Ａ  端子
２６Ｂ  端子
２６Ｃ  端子
２６Ｄ  端子
２６Ｅ  端子
２６Ｆ  端子
２６Ｇ  端子
２６Ｈ  端子
２７  挿入口
２８  カード挿入口
５１  操作処理機能部
５２  測位機能部
５３  ルート案内機能部
５４  地図データ処理機能部
５５  ユーザデータ処理機能部
５６  音声処理機能部
５７  映像処理機能部
５８  カード認証機能部
６０  正規ＳＤカード（記憶媒体）
６１  ユーザアクセス不可領域
６２  ユーザアクセス可能領域
７１  第１読込手段
７２  第２読込手段
７３  復号化手段
７４  ＩＤ照合判定手段
７５  表示手段
７６  Ｅコード照合判定手段
１００  地図配信システム（情報処理装置）
１５０  インターネット
２００  地図配信サーバ（情報処理装置）
２０１  メール受信手段
２０１  二次元コード読取手段
２０２  ユーザ登録手段
２０３  第２認証キーファイル生成手段
２０４  記憶手段
２０５  ユーザ認証手段
２０６  ダウンロード許可手段
３００  ユーザＰＣ（端末装置）
３０１  通信手段
３０２  ダウンロード手段
３０３  第１読込手段
３０４  第２読込手段
３０５  復号化手段
３０６  ＩＤ照合判定手段
３０７  書込手段
３０８  カード着脱手段
４００  ユーザ携帯電話（携帯端末装置）
４０１  二次元コード読取手段
４０２  メール送信手段
【図１】
2010086216.tif 000003
【図２】
2010086216.tif 000004
【図３】
2010086216.tif 000005
【図４】
2010086216.tif 000006
【図５】
2010086216.tif 000007
【図６】
2010086216.tif 000008
【図７】
2010086216.tif 000009
【図８】
2010086216.tif 000010
【図９】
2010086216.tif 000011
【図１０】
2010086216.tif 000012
【図１１】
2010086216.tif 000013
【図１２】
2010086216.tif 000014
【図１３】
2010086216.tif 000015
【図１４】
2010086216.tif 000016
【図１５】
2010086216.tif 000017
【図１６】
2010086216.tif 000018
【図１７】
2010086216.tif 000019
【図１８】
2010086216.tif 000020
【図１９】
2010086216.tif 000021
【図２０】
2010086216.tif 000022
【図２１】
2010086216.tif 000023
【図２２】
2010086216.tif 000024
【図２３】
2010086216.tif 000025
【図２４】
2010086216.tif 000026
【図２５】
2010086216.tif 000027
【図２６】
2010086216.tif 000028